(57)【要約】【課題】  様々な遊技機島に対応可能であり、かつ、可及的に造り置きが可能な遊技機島ユニットを提供する。【解決手段】  遊技機島ユニット（１）を、高さ方向に互いに分割可能な腰下ユニット群（３）と、島柱ユニット群（５）と、上部ユニット群（７）と、を含めて構成してあり、島柱ユニット群は腰下ユニット群の上に固定構造（３３）を介して載置固定可能に、かつ、上部ユニット群は上部支持構造（３７）を介して島柱ユニット群によって支持可能に、構成してある。当該固定構造及び上部支持構造が、当該島柱ユニット各々を当該腰下ユニット各々及び当該上部ユニット各々に対して少なくとも長さ方向に移動可能に構成してある。ユニット化してあるため、造り置きが容易になり、また、様々な遊技機島に対応可能である。【選択図】    図１
2006204878.tif 000002
【特許請求の範囲】
【請求項１】
高さ方向に互いに分割可能な腰下ユニット群と、島柱ユニット群と、上部ユニット群と、を含めて構成してあり、
当該腰下ユニット群が、腰下連結構造によって長さ方向に連結し、かつ、幅方向対向配置した複数の腰下ユニットから構成してあり、
当該島柱ユニット群が、対向配置させた当該腰下ユニット群上の長さ方向所定間隔毎に固定構造を介して載置固定した複数の島柱ユニットから構成してあり、
当該上部ユニット群が、上部連結構造によって長さ方向に連結し、かつ、幅方向対向配置させた複数の上部ユニットから構成してあり、かつ、当該島柱ユニット各々との間に設けた上部支持構造を介して当該島柱ユニット群の上部に支持させてある遊技機設置用の遊技機島ユニットにおいて、
当該固定構造及び上部支持構造が、当該島柱ユニット各々を当該腰下ユニット各々及び当該上部ユニット各々に対して少なくとも長さ方向に移動可能に構成してある
ことを特徴とする遊技機島ユニット。
【請求項２】
前記遊技機が、研磨機によって揚送研磨されたパチンコ玉の供給を受けて遊技可能なパチンコ機を含めて構成してあり、
前記腰下ユニット群が、研磨機側腰下ユニットと、調整腰下ユニットと、標準腰下ユニットと、から構成してあり、
当該上部ユニット群が、研磨機側上部ユニットと、調整上部ユニットと、標準上部ユニット、とから構成してあり、
当該研磨機側腰下ユニット及び当該研磨機側上部ユニットが、各々研磨機に隣接設置可能な構造に構成してあり、
当該標準腰下ユニット及び当該標準上部ユニットが、各々複数設けてあり、複数の標準腰下ユニット各々及び複数の標準上部ユニット各々を同一構造に構成してあり、
当該調整腰下ユニット及び当該調整上部ユニットの長さ寸法が、各々当該標準腰下ユニット及び当該標準上部ユニットの長さ寸法よりも短く又は長く形成してある
ことを特徴とする請求項１記載の遊技機島ユニット。
【請求項３】
前記腰下ユニット群には、研磨機側腰下ユニットと当該研磨機側腰下ユニットに最も近い標準腰下ユニットとの間に、プールタンク用腰下ユニットを設けてある
ことを特徴とする請求項２記載の遊技機島ユニット。
【請求項４】
前記調整腰下ユニットが、何れも前記標準腰下ユニットよりも短い第１調整腰下ユニット及び第２調整腰下ユニットを含めて構成してあり、
前記調整上部ユニットが、何れも前記標準上部ユニットよりも短い第１調整上部ユニット及び第２調整上部ユニットを含めて構成してある
ことを特徴とする請求項２又は３記載の遊技機島ユニット。
【請求項５】
前記腰下ユニット群の上面には、長さ方向に連続する少なくとも１条の案内路を形成してあり、
前記島柱ユニット各々の基端部には、当該案内路と協働して前記島柱ユニット各々を長さ方向に案内可能に構成した少なくとも１個の被案内部材を設けてあり、
当該島柱ユニット各々の上部幅方向両脇には、前記上部ユニット各々を少なくとも長さ方向にスライド可能に下方支持するための一対の支持片を設けてある
ことを特徴とする請求項２乃至４何れか記載の遊技機島ユニット。
【請求項６】
請求項３又は４記載の遊技機島ユニットの設置方法であって、
幅方向対向配置した一対の研磨機側腰下ユニットを、遊技場床上に設置した又は設定予定の研磨機を挟むように遊技場床上に設置する工程と、
当該研磨機側腰下ユニット各々に、プールタンク用腰下ユニットを介して所望数の標準腰下ユニット及び／又は所望数の調整ユニットを長さ方向に選択した順番で連結する工程と、
対向配置させた当該腰下ユニット群上の長さ方向所定間隔毎に複数の島柱ユニットを載置固定する工程と、
当該島柱ユニット各々との間に有する上部支持構造によって、研磨機側上部ユニット、所望数の標準上部ユニット及び／又は所望数の島端側上部ユニットを互いに連結してから、又は、連結しながら、当該島柱ユニット各々の上部に支持させる工程と、を含めて構成してある
ことを特徴とする遊技機島ユニットの設置方法。
【発明の詳細な説明】
【技術分野】
【０００１】
この発明は、遊技機群を取り付けて遊技機島を構成するための遊技機島ユニット及びその設置方法に関するものである。なお、本明細書において「遊技機」とは、パチンコ機やパチスロ機等の遊技機の総称をいう。
【背景技術】
【０００２】
これまで知られている遊技機島ユニットには、たとえば、特許文献１に記載されたものがある。この遊技機島（以下、適宜「従来のユニット」という）は、上段ユニット、中段ユニット及び下段ユニットから構成され、上段ユニットは、下段ユニットの上にボルト固定された中段ユニットによって支持され、中断ユニットと上段ユニットも同じようにボルト固定されている（特許文献１参照）。
【特許文献１】特開平７−１９４８３３号公報（段落００１０．図１参照）
【発明の開示】
【発明が解決しようとする課題】
【０００３】
ところで、遊技場なるものには、設置する遊技機がパチンコ遊技機であろうとパチスロ機であろうと、また、これら以外の遊技機であろうとに関わらず、それらを設置する条件、たとえば、土地の広さや形状、遊技客の嗜好、経営者の経営方針等によって、様々な形態があり得る。特に、土地の広さや形状は、そこに設置する遊技機島の数や各遊技機島の長さ決定に大きな影響を与える。土地が広い場合であれば、比較的長い遊技機島、すなわち、それだけ多数の遊技機を設置することができるが、土地が狭い場合は遊技機島の長さを制限せざるを得ない。このように、遊技場の条件は様々であるから、そこに設置する遊技機島の長さも様々である。そのように様々な遊技機島に対応させるには、従来のユニットのように上段、中段、下段という縦方向にユニット化しただけでは不充分である。様々な遊技機島に対応可能なユニットにすること、これが、第１の課題である。他方、一旦、遊技機島を組み立てた後に、遊技機島をそのままにして遊技機間の間隔変更が求められることがある。同じ種類の遊技機ではあるが機種が異なるために幅寸法の違いが生じる場合や、たとえば、パチンコ機とパチスロ機との間で相互変換する場合、さらに、遊技機間に、たとえば、パチンコ玉を貸し出すための玉貸機等を増設等する場合などが、間隔変更が求められる場合の例として挙げられる。従来の遊技島ユニットは、中断ユニットを上段ユニット及び下段ユニットにボルト固定するようになっているので、上述した遊技機間の間隔変更に対応させることはできない。このような遊技機間の間隔変更を可能にすることが、第２の課題である。上述した第１の課題及び第２の課題を解決することが、本発明の目的である。すなわち、本発明が解決しようとする課題は、様々な遊技機島に対応可能であり、かつ、可及的に造り置きが可能であるとともに、設置後であっても遊技機島を解体することなく遊技機間の間隔変更が可能である遊技機島ユニット及びその設置方法を提供することにある。
【課題を解決するための手段】
【０００４】
上記した課題を解決するために発明者は、次の構成を採用した。その構成の詳しい内容は、次項以下で説明する。なお、何れかの請求項に記載した発明の説明において行う用語の定義等は、その性質上可能な範囲で他の請求項に記載した発明の説明にも適用されるものとする。
【０００５】
（請求項１に記載した発明の構成）
請求項１に記載した発明に係る遊技機島ユニット（以下、「請求項１のユニット」という）は、高さ方向に互いに分割可能な腰下ユニット群と、島柱ユニット群と、上部ユニット群と、を含めて構成してある。各ユニット群は、次の通り構成してある。すなわち、当該腰下ユニット群は、腰下連結構造によって長さ方向に連結し、かつ、幅方向対向配置した複数の腰下ユニットから構成してある。また、当該島柱ユニット群は、対向配置させた当該腰下ユニット群上の長さ方向所定間隔毎に固定構造を介して載置固定した複数の島柱ユニットから構成してある。さらに、当該上部ユニット群は、上部連結構造によって長さ方向に連結し、かつ、幅方向対向配置させた複数の上部ユニットから構成してあり、かつ、当該島柱ユニット各々との間に設けた上部支持構造を介して当該島柱ユニット群の上部に支持させてある。上記構成における当該固定構造及び上部支持構造が、当該島柱ユニット各々を当該腰下ユニット各々及び当該上部ユニット各々に対して少なくとも長さ方向に移動可能に構成してある。
【０００６】
請求項１のユニットによれば、腰下ユニット群と、島柱ユニット群と、上部ユニット群とを、を互いに分割させることができる。換言すれば、ユニット製造工場や設置現場等において、各ユニットを別々に製造すること、製造したものを運搬すること、さらに、設置現場等において組み立て等を行うことを、ユニット別になっていない一体化した遊技機島に比べて簡単に行うことができる。このように遊技機島をユニットとすることによって、特に、ユニット製造工場において各ユニットを造り置き、すなわち、ある程度の数量を製造し製造したものを在庫することができる。在庫してある各ユニットは、それを必要数だけ出荷すればよい。遊技場の状況に合わせた遊技機島を設計し、その設計に基づいて構成部材を製造する場合に比べて遥かに簡単であり効率がよい。他方、島柱ユニット各々を腰下ユニット各々及び上部ユニット各々に対して少なくとも長さ方向に移動可能に構成してあるから、遊技機島に遊技機を設置する際に、島柱ユニットを長さ方向に移動させることによって、各遊技機に対する適切な位置に島柱ユニットを設置することができる。さらに、一旦、遊技機島を組み立てた後に、遊技機島をそのままにして遊技機間の間隔変更が求められることがある。間隔変更が必要な場合は、島柱ユニット各々を当該腰下ユニット各々及び当該上部ユニット各々に対して長さ方向に移動させ、この移動によって間隔変更を実現させる。この手法によれば、遊技機島を解体しないでも遊技機間の間隔変更が可能になる。
【０００７】
（請求項２記載の発明の特徴）
請求項２記載の発明に係る遊技機島ユニット（以下、適宜「請求項２のユニット」という）では、請求項１のユニットの基本的構成を備えさせた上で、前記遊技機が、研磨機によって揚送研磨されたパチンコ玉の供給を受けて遊技可能なパチンコ機を含めて構成してある。パチンコ機を含めて構成したのを前提にして、前記腰下ユニット群が、研磨機側腰下ユニットと、調整腰下ユニットと、標準腰下ユニットと、から構成してあり、さらに、当該上部ユニット群が、研磨機側上部ユニットと、調整上部ユニットと、標準上部ユニット、とから構成してある。上記構成における当該研磨機側腰下ユニット及び当該研磨機側上部ユニットが、各々研磨機に隣接設置可能な構造に構成してあり、同じく当該標準腰下ユニット及び当該標準上部ユニットが、各々複数設けてあり、複数の標準腰下ユニット各々及び複数の標準上部ユニット各々を同一構造に構成してある。さらに、当該調整腰下ユニット及び当該調整上部ユニットの長さ寸法が、各々当該標準腰下ユニット及び当該標準上部ユニットの長さ寸法よりも短く又は長く形成してある。
【０００８】
請求項２のユニットによれば、請求項１のユニットの作用効果に加え、次の作用効果を生じる。すなわち、パチンコ遊技にはパチンコ玉が必要であるから、各パチンコ遊技機にはパチンコ玉を供給する必要がある。パチンコ玉の供給は、一般に、研磨機によってパチンコ玉表面を研磨しながら揚送し、その位置エネルギーを使って傾斜面上を転がさせることによって供給する。したがって、パチンコ遊技機を備える遊技機島には研磨機が必要であり、研磨機があることにより、研磨機に隣接するユニットと、隣接しないユニットとの間にはユニット形状の違いが生じる。さらに、遊技機島を設置する遊技場の広さや形状等が異なること、これに伴い遊技機島の長さが異ならざるを得ないことは前述したが、長さが異なるため異なる分を調整する必要がある。長さ調整は、調整腰下ユニット及び調整上部ユニットを用いて行う。調整腰下ユニット（調整上部ユニット）の長さ寸法が、各々標準腰下ユニット（標準上部ユニット）の長さ寸法よりも短く又は長く形成してあるのは、その長さ調整のためである。すなわち、研磨機側腰下ユニット（研磨機側上部ユニット）に必要最大数の標準腰下ユニット（標準上部ユニット）を連結し、最後に、設置条件に合わせた長さに調整した調整腰下ユニット（調整上部ユニット）を連結すれば、その遊技場に適した長さの遊技機島ユニットが完成する。調整腰下ユニット（調整上部ユニット）の設置順は、適宜選択可能であり、たとえば、上記した島端に設ける代わりに、研磨機側腰下ユニット（研磨機側上部ユニット）と標準腰下ユニット（標準上部ユニット）との間や、標準腰下ユニット（標準上部ユニット）が複数である場合のその間に設けることもできる。調整腰下ユニット（調整上部ユニット）の長さを標準腰下ユニット（標準上部ユニット）の長さよりも短く又は長く形成したのは、換言すると、標準腰下ユニット（標準上部ユニット）の長さと異ならせたのは、次の理由による。すなわち、同じ長さであれば調整腰下ユニット（調整上部ユニット）を使用せずに標準腰下ユニット（標準上部ユニット）だけを用いれば足りるが、短かったり長かったりするときは標準腰下ユニット（標準上部ユニット）をそのまま用いることができない。そこで、標準腰下ユニット（標準上部ユニット）の長さよりも短く又は長く形成した調整腰下ユニット（調整上部ユニット）を用いることによって、遊技機島全体の長さを所望長さに設定可能とするためである。調整腰下ユニット（調整上部ユニット）は、これを単数としてもよいし複数としてもよく、現場の状況に合わせて適宜選択使用することができる。遊技機島ユニットが完成したら、次は、この遊技機島ユニットにパチンコ機や必要に応じて他の種類の遊技機を設置することによって遊技機島が完成する。島端側腰下ユニット（島端側上部ユニット）は、それを設置する遊技場の状況によって左右され易いが、研磨機側腰下ユニット（研磨機側上部ユニット）及び標準腰下ユニット（標準上部ユニット）は比較的馴染み易い。研磨機側腰下ユニット（研磨機側上部ユニット）は、研磨機の形状に左右される場合も考えられるが、標準腰下ユニット（標準上部ユニット）は研磨機の形状や遊技場の状況に全く左右されないので、どこの遊技場でも使用することができるので標準化が可能である。標準化できれば、大量の造り置きが可能となり、その在庫や取り扱いも非常に簡単になる。したがって、島構造ユニットの製造と設置において、大幅なコストダウンを実現する。
【０００９】
（請求項３記載の発明の特徴）
請求項３記載の発明に係る遊技機島ユニット（以下、適宜「請求項３のユニット」という）では、請求項２のユニットの基本的構成を備えさせた上で、前記腰下ユニット群には、研磨機側腰下ユニットと当該研磨機側腰下ユニットに最も近い標準腰下ユニットとの間に、プールタンク用腰下ユニットを設けてある。
【００１０】
請求項３のユニットによれば、請求項２のユニットの作用効果に加え、腰下ユニット群にプールタンク用腰下ユニットを加えることによって、研磨機近傍に設置することの多いプールタンク設置に適した腰下ユニット群を構成することができる。なお、プールタンク用腰下ユニットとは、プールタンクを遊技機島内に設置可能とするためのユニットのことをいう。プールタンクとは、研磨機によって揚送研磨されたパチンコ玉は各パチンコ機に補給することになるが、補給してもなお残った余剰パチンコ玉を落下回収して一旦貯留しておくためのタンクのことをいう。貯留したパチンコ玉は補給パチンコ玉が不足したときに研磨機に放出供給し、供給を受けた研磨機がパチンコ玉を揚送し各パチンコ遊技機に補給するようになっている。
【００１１】
（請求項４記載の発明の特徴）
請求項４記載の発明に係る遊技機島ユニット（以下、適宜「請求項４のユニット」という）では、請求項２又は３のユニットの基本的構成を備えさせた上で、
前記調整腰下ユニットが、何れも前記標準腰下ユニットよりも短い第１調整腰下ユニット及び第２調整腰下ユニットを含めて構成してあり、前記調整上部ユニットが、何れも前記標準上部ユニットよりも短い第１調整上部ユニット及び第２調整上部ユニットを含めて構成してある。
【００１２】
請求項４のユニットによれば、請求項２又は３のユニットの作用効果に加え、次の作用効果を奏することができる。すなわち、まず、調整腰下ユニット（上部腰下ユニット）を第１調整腰下ユニット（第１調整上部ユニット）と第２調整腰下ユニット（第２調整上部ユニット）に分けることによって、遊技機島やそれを設置する遊技場の状況により細やかに対応した遊技機島設置を行うことができる。たとえば、第１調整腰下ユニットを遊技機島の端に設置すると共に第２調整腰下ユニットを研磨機側腰下ユニットやプールタンク用腰下ユニットに近い場所に配すれば、研磨機やプールタンク又はこれらの付属部材等の形状に合わせた設置を必要に応じて行うことができる。さらに、別の利点もある。すなわち、遊技場の敷地の広狭や付帯設備の存在等に伴い調整腰下ユニット（調整上部ユニット）によって調整すべき遊技機島の長さが、たとえば数ｃｍということもありえるが、数ｃｍというようなユニットを構成するために使用する部材の寸法よりも短い長さの調整腰下ユニット（調整上部ユニット）を製造することは寸法的に不可能である。この場合、標準腰下ユニット（標準上部ユニット）１台分の長さと上記数ｃｍ分の長さ（ここで、両者を合わせた長さを「合計長さ」という）が必要となる。ここで、標準腰下ユニット（標準上部ユニット）を用いずに、合計長さと同じ長さを持つ調整腰下ユニット（調整上部ユニット）を用いることも可能（請求項２のユニット）であるが、合計長さを、ユニットとして各々製造可能な第１調整腰下ユニット（第１調整上部ユニット）の長さと第２調整腰下ユニット（第２調整上部ユニット）の長さで分担させれば寸法的製造不可能の問題は生じない。
【００１３】
（請求項５記載の発明の特徴）
請求項５記載の発明に係る遊技機島ユニット（以下、適宜「請求項５のユニット」という）では、請求項２乃至４何れかのユニットの基本的構成を備えさせた上で、前記腰下ユニット群の上面には、長さ方向に連続する（腰下ユニット同士を連結することにより一体化する）少なくとも１条の案内路（たとえば、案内溝、案内突条、案内レール）を形成してあり、前記島柱ユニット各々の基端部には、当該案内路と協働して前記島柱ユニット各々を長さ方向に案内可能に構成した少なくとも１個の被案内部材を設けてある。他方、当該島柱ユニット各々の上部幅方向両脇には、前記上部ユニット各々を少なくとも長さ方向にスライド可能に下方支持するための一対の支持片を設けてある。
【００１４】
請求項５のユニットによれば、請求項２乃至４何れかのユニットの作用効果に加え、案内路と被案内部材との協働、及び、支持片の支持作用とによって、島柱ユニット各々の遊技機島長さ方向の移動が可能になる。
【００１５】
（請求項６記載の発明の特徴）
請求項６記載の発明に係る遊技機島ユニットの設置方法（以下、適宜「請求項６の設置方法」という）は、請求項３又は４記載の遊技機島ユニットの設置方法である。具体的には、幅方向対向配置した一対の研磨機側腰下ユニットを、遊技場床上に設置した又は設定予定の研磨機を挟むように遊技場床上に設置する工程と、当該研磨機側腰下ユニット各々に、プールタンク用腰下ユニットを介して所望数の標準腰下ユニット及び／又は所望数の調整ユニットを長さ方向に選択した順番で連結する工程と、対向配置させた当該腰下ユニット群上の長さ方向所定間隔毎に複数の島柱ユニットを載置固定する工程と、当該島柱ユニット各々との間に有する上部支持構造によって、研磨機側上部ユニット、所望数の標準上部ユニット及び／又は所望数の島端側上部ユニットを互いに連結してから、又は、連結しながら、当該島柱ユニット各々の上部に支持させる工程と、を含めて構成してある。
【００１６】
請求項６の設置方法によれば、請求項３又は４記載の遊技機島ユニットを効率よく設置することができる。また、上記方法によって設置した遊技機島ユニットは、これに遊技機を設置して遊技機島を完成した後に遊技機間の間隔変更も簡単に行うことができる。
【発明の効果】
【００１７】
本発明に係る遊技機島ユニットよれば、様々な遊技機島に対応可能であり、かつ、可及的に造り置きが可能な遊技機島ユニットを提供することができる。また、遊技機島ユニットの設置後であっても遊技機島を解体することなく遊技機間の間隔変更が可能になる。また、本発明に係る遊技機島ユニットの設置方法によれば、遊技機島ユニットを効率よく設置することができる。
【発明を実施するための最良の形態】
【００１８】
次に、各図を参照しながら、本発明を実施するための最良の形態（以下、「本実施形態」という）について説明する。図１は、遊技機島ユニットの斜視図である。図２は、遊技機島ユニットの概略構造を示す正面図である。図３は、島ユニットを正面斜め上からみた分解図である。図４は、研磨機を中心とした島ユニットの斜視図である。図５は、遊技機島ユニットの右側面図である。図６は、腰下ユニットの斜視図である。図７は、腰下ユニットの上に載置した島柱ユニットの斜め上から見た斜視図である。図８は、遊技機島ユニットの部分斜視図である。図９は、研磨機回りを示すための遊技機島ユニットの（ａ）平面図、（ｂ）正面図である。図１０は、島ユニットの第１変形例を示す正面図である。図１１は、島ユニットの第２変形例を示す正面図である。なお、以下において、遊技機島ユニットのことを単に「ユニット」と呼ぶことにする。
【００１９】
（遊技機島ユニットの概要）
図１乃至５を参照する。ユニット１は、高さ方向に互いに分割可能な腰下ユニット群３と、島柱ユニット群５と、上部ユニット群７と、を含めて構成してある。すなわち、腰下ユニット群３と、島柱ユニット群５と、上部ユニット群７の三者は、互いに別体であって、これらを高さ方向に積み上げることによってユニット１が構成される。腰下ユニット群３は、ユニット１の幅方向に各々背中合わせに対向配置させた研磨機側腰下ユニット１１，１１´と、プールタンク用腰下ユニット１２，１２´と、所望数の標準腰下ユニット１３，１３，・・と、所望数の第１調整腰下ユニット１５と、所望数の第２調整腰下ユニット１５と、から概ね構成してある。図３、４及び９に示すように、研磨機側腰下ユニット１１と研磨機側腰下ユニット１１´の組み合わせと、プールタンク用腰下ユニット１２，１２´は互いに異なる構造を有しているが、標準腰下ユニット１３，１３は対向するユニット同士が同じ構造を有している。第１調整腰下ユニット１５及び第２調整腰下ユニット１５´は、長手方向の長さは異なるが基本的に同じ構造を有している。本実施形態では、なるべく造り置き（製造してストックしておくこと）ができるように、第１調整腰下ユニット１５は標準腰下ユニット１３よりも短いが所定の長さ寸法に予め設定してある。他方、第２調整腰下ユニット１５´は、遊技場の設置現場において必要寸法に合わせた長さ寸法に形成するようになっている。研磨機側腰下ユニットのみについて対向するユニット同士の構造が互いに異なるのは、研磨機側腰下ユニット１１は研磨機１０１の点検のための点検口（後述）等を有するが研磨機側腰下ユニット１１´はそれを含まない等の違いがあるからである。したがって、種類に着目した場合の腰下ユニットには、研磨機側腰下ユニット１１，１１´の２種類に、プールタンク用腰下ユニット１２，１２´の２種類と、標準腰下ユニットと、第１調整腰下ユニット１５及び第２調整腰下ユニット１５´の２種類を合わせた合計７種類のユニットが存在する。島柱ユニット群５は、互いに同じ構造に構成した複数の島柱ユニット３１，・・から構成してある。島柱ユニットは１種類で足りる。上部ユニット群７は、ユニット１の幅方向に各々背中合わせに配した研磨機側上部ユニット２１，２１´と、所望数の標準上部ユニット２３，２３，・・と、所望数の第１調整上部ユニット２５と、所望数の第２調整上部ユニット２５´と、から構成してある。研磨機側上部ユニット２１と研磨機側上部ユニット２１´との間には、研磨機１０１の点検のための点検口（後述）等を有する有さない等の違いに基づく構造上の相違点がある。この点、研磨機側腰下ユニット１１，１１´の場合と共通する。よって、種類に着目した場合の上部ユニットには、研磨機側上部ユニット２１，２１´の２種類に、標準上部ユニット２３と、第１調整上部ユニット２５及び第２調整上部ユニット２５´の２種類を合わせた合計５種類のユニットが存在する。第１調整上部ユニット２５の他に第２調整上部ユニット２５´が存在する理由は、上記第１調整腰下ユニット１５と第２調整腰下ユニット１５´が併存する理由と同じである。なお、上部ユニットはプールタンクの影響を受けないので、プールタンクに適応させた上部ユニットなるものは存在しない。
【００２０】
プールタンク用腰下ユニット１２と標準腰下ユニット１３との間、複数存在する場合の標準腰下ユニット１３，・・同士の間、標準腰下ユニット１３と第１調整腰下ユニット１５との間、さらに、第１調整腰下ユニット１５と第２調整腰下ユニット１５´との間は、後述する腰下連結構造１７（図１参照）によってユニット１の長さ方向に対向状態を保ちながらニ列連結してある。研磨機側上部ユニット２１と標準上部ユニット２３との間、複数存在する場合の標準上部ユニット２３，・・同士の間、標準上部ユニット２３と第１調整上部ユニット２５との間、さらに、第１調整上部ユニット２５と第２調整上部ユニット２５´との間は、後述する上部連結構造２７（図１参照）によってユニット１の長さ方向に対向状態を保ちながらニ列連結してある。各島柱ユニット３１は、ユニット１の長さ方向所定間隔を介して配してあり、その固定は腰下ユニット群３の上に載置して後述する固定構造３３（図１参照）を介して行うようにしてある。上部ユニット群７の支持は、後述する島柱ユニット群５との間に設けた上部支持構造３７によって行う。
【００２１】
（研磨機側腰下ユニットの構造）
図１乃至５及び９に示すように研磨機側腰下ユニット１１，１１´は、研磨機１０１に隣接して設置するためのユニットである。研磨機側腰下ユニット１１は、研磨機１０１の腰下部をユニット１の長さ方向に挟むようにして対向配置可能な一方の研磨機側腰下半ユニット１１ａと他方の研磨機側腰下半ユニット１１ｂとから構成してあり、両者は両者間中央に降ろした中心線（垂線）に対して線対称の関係にある。すなわち、研磨機側腰下半ユニット１１ａ，１１ｂは、図９（ｂ）に示すように正面視長方形の基板１１ａ−１，１１ｂ−１と、床面上に起立させた基板１１ａ−１，１１ｂ−１の上に固定した矩形の枠体１１ａ−２，１１ｂ−２と、から構成してある。符号１１ａ−５，１１ｂ−５は、膳板を示している。膳板１１ａ−５，１１ｂ−５は、それぞれ枠体１１ａ−２，１１ｂ−２の上に載置してあり、研磨機１０１側の幅方向一端端面を設置位置１０１ｐ方向に突き出させてあり、また、他端を後述する腰下支持台１９（図４参照、後述）の上に載置固定してある。膳板１１ａ−５，１１ｂ−５のユニット幅方向内側上面には、側端に沿った細長突条１１ａ−９，１１ｂ−９を形成してある。細長突条１１ａ−９，１１ｂ−９は、たとえば、膳板１１ａ−５，１１ｂ−５を加工することによって一体形成したり、膳板１１ａ−５，１１ｂ−５の所定箇所に細長い部材を載置固定することにより形成したりすることができる（以下に述べる細長突条について同じ）。符号１１ａ−６，１１ｂ−６は、膳板１１ａ−５，１１ｂ−５の上にその長さ方向（すなわち、ユニット１の長さ方向）に沿って載置固定した細長のガイド板を示している。ガイド板１１ａ−６，１１ｂ−６の高さ寸法は、上述した細長突条１１ａ−９，１１ｂ−９の高さ寸法よりも僅かに高く設定してあり、ガイド板１１ａ−６，１１ｂ−６と細長突条１１ａ−９，１１ｂ−９との間に幅狭のガイド溝（案内路）１１ａ−８，１１ｂ−８を形成してある（図９（ａ）参照）。ガイド板１１ａ−６，１１ｂ−６を僅かに高く設定した主たる理由は、その上に載置したメダル遊技機の枠（図示を省略）が突き出したとしても、その突き出した枠の部分がガイド板１１ａ−６，１１ｂ−６から細長突条１１ａ−９，１１ｂ−９と干渉しないようにするためである（以下に述べるガイド板についても同じ）。すなわち、ガイド溝１１ａ−８，１１ｂ−８には、ガイド板１１ａ−６，１１ｂ−６の端面に沿って延びる案内路としての機能を持たせてある（以下に述べるガイド溝についても同じ）。ガイド板１１ａ−６，１１ｂ−６は、ユニット１完成後にパチンコ機（図示を省略）を載置固定するための載置台としての機能と、その端面が後述するガイド片３１ｃ，３１ｃをガイド溝１１ａ−８，１１ｂ−８へ差し込む際の案内壁としての機能を備えている（後述する他のガイド溝も同じ）。ガイド溝１１ａ−８，１１ｂ−８の機能は、後述する島柱ユニット３１の説明の中で併せて説明する。
【００２２】
図４及び９（ａ）に示すように研磨機側腰下ユニット１１´は、上述した研磨機側腰下ユニット１１とユニット１の幅方向に対向配置してある。研磨機側腰下ユニット１１´は、ユニット１の長さ方向に沿って正面視長方形の基板１１´−１（図９参照）と、床面上に起立させた基板１１´−１の上に固定した枠体１１´−２と、から構成してある。枠体１１´−２は、図９（ｂ）において研磨機側腰下ユニット１１に隠れて見えないが、正面視長方形に構成してある。符号１１´−５は、膳板を示している。膳板１１´−５は、枠体１１´−２の上に載置した状態でその両端を腰下支持台１９，１９の上に載置固定してある。膳板１１´−５のユニット幅方向内側上面には、側端に沿った細長突条１１´−９を形成してある。符号１１´−６は、膳板１１´−５の上にその長さ方向（すなわち、ユニット１の長さ方向）に沿って載置固定した細長のガイド板を示している。ガイド板１１´−６と細長突条１１´−９との間に幅狭のガイド溝（案内路）１１´−８を形成してある（図９（ａ）参照）。ガイド溝１１´−８は、上述したガイド溝１１ａ−８，１１ｂ−８と同じ役目を担っている。
【００２３】
（プールタンク用腰下ユニットの構造）
図１乃至４に示すように、プールタンク用腰下ユニット１２，１２´は、プールタンク（図示を省略）を収納するためのユニットであり、プールタンクとは、パチンコ玉を一時的に貯留しておくためのタンクであって、貯留してあるパチンコ玉を必要に応じて研磨機に供給可能な構造を備えたもののことをいう。プールタンク用腰下ユニット１２とは別にプールタンク用腰下ユニット１２´を設けた理由は、前者は１台のプールタンクを収納可能な構造に構成してあり、研磨機を挟んで前者と対置する後者は２台のプールタンクを直列に配し両者間にパチンコ玉揚送のためのミニリフトを収納可能に構成してあるためである。すなわち、研磨機を挟んだメダル遊技機島の長さ方向一方にはプールタンク２台とミニリフトを、他方にはプールタンク１台を、それぞれ収納可能にすることがプールタンク用腰下ユニットを２種類用した理由である。ここで、プールタンクが一方及び他方に各１台ずつ合計２台あれば足りるのであれば、プールタンク用腰下ユニット１２´を採用せずにプールタンク用腰下ユニット１２を２台採用することができるし、また、一方及び他方に各２台ずつのプールタンクを収納可能とする必要があるのであれば、プールタンク用腰下ユニット１２´を２台採用することも可能である。
【００２４】
まず、プールタンク用腰下ユニット１２から説明する。プールタンク用腰下ユニット１２は、ユニット１の幅方向対向するもの同士が同じ構造に構成してあるため、一方のものについてだけ説明する。すなわち、プールタンク用腰下ユニット１２は、ユニット１の長さ方向に沿って正面視長方形の基板１２−１（図４参照）と、床面上に起立させた基板１２−１上の研磨機１０１からユニット１の長さ方向に離れる側の端に固定した枠体１２−２と、から構成してある。枠体１２−２は、縦板１２−３を所定間隔で並べてその上下をそれぞれ横板で連結することによって構成してあり、枠体１２−２の上に固定したときの床面からの高さ寸法は研磨機１０１に隣接する腰下支持台１９の高さ寸法と略同じくなるように設定してある。高さ寸法を揃えることによって、枠体１２−２と腰下支持台１９とプールタンク（図示を省略）との上に膳板１２−４を載置固定可能に構成してある。膳板１２−４のユニット長さ方向内側上面には、側端に沿った細長突条１２−５を形成してある。符号１２−６は、膳板１２−４の上にその長さ方向（すなわち、ユニット１の長さ方向）に沿って載置固定した細長のガイド板を示している。ガイド板１２−６と細長突条１２−５との間に幅狭のガイド溝（案内路）を形成してある（図４ではガイド板１２−６の陰に隠れて見えない）。上記ガイド溝には、上述したガイド溝１１ａ−８，１１ｂ−８と同じ役目を担わせてある。なお、符号１２−７，１２−７は、プールタンク用腰下ユニット１２を閉鎖するための閉鎖板（図示を省略）を支持させるための支持板を示している。
【００２５】
次は、プールタンク用腰下ユニット１２´について説明する。プールタンク用腰下ユニット１２´は、床面上に起立させた正面視長方向の基板１２´−１をその背面側にまず設けてあり、基板１２´−１の上及び膳板１２´−８の下には閉鎖板（図示を省略）を支持させるための支持板１２´−２，１２´−２を固定してある。他方プールタンク用腰下ユニット１２´の前面側には（図４の手前側）の基板１２´−３を設けてあり、基板１２´−３は、その一部を切り欠いて（省略して）その間に枠板１２´−４，１２´−４を縦に取り付け、一方の枠板１２´−４に点検ドア１２´−５を開閉自在に取り付けて他方の枠板１２´−４との間の開口を開閉可能に構成してある。点検ドア１２´−５を設けたのは、これを開放することにより中に収納してあるプールタンク（図示を省略）やミニリフト（図示を省略）の点検等を行うことができるようにするためである。符号１２´−６，１２´−６，１２´−７は、閉鎖板（図示を省略）を支持させるための支持板を示している。膳板１２´−８，１２´−８は、腰下支持台１９によって、その両端を下方から支持させてある。図外のプールタンクの上にも膳板１２´−８，１２´−８を部分的に載置して荷重を分担支持させるように構成してもよい。上述した膳板１２−４と同様に膳板１２´−８，１２´−８には、それぞれ細長突条１２´−９，１２´−９、ガイド板１２´−１０，１２´−１０、ガイド溝１２´−１１，１２´−１１を設けてある。
【００２６】
（標準腰下ユニットの構造）
図１乃至４及び８に示すように、標準腰下ユニット１３は、ユニット１の長さ方向に沿って正面視長方形の基板１３−１と、床面上に起立させた基板１３−１の上に固定した枠体１３−２と、から構成してある。枠体１３−２は、縦板１３−２ａ，１３−２ｂ，１３−２ｃ，１３−２ｄの４枚を、ユニット１の長さ方向に所定間隔を介して同幅方向と並行に配置し、その上下を２枚の横板１３−２ｇ，１３−２ｈで連結してある（図２参照）。。膳板１３−５は、枠体１３−２の上に載置固定してある。膳板１３−５のユニット長さ方向内側上面には、側端に沿った細長突条１３−４を形成してある。符号１３−６は、膳板１３−５の上にその長さ方向（すなわち、ユニット１の長さ方向）に沿って載置固定した細長のガイド板を示している。ガイド板１３−６と細長突条１３−４との間に幅狭のガイド溝（案内路）１３−８を形成してある（図８参照）。ガイド溝１３−８には、上述したガイド溝１１ａ−８，１１ｂ−８と同じ役目を担わせてある。標準腰下ユニット１３同士及び標準腰下ユニット１３と後述する第２腰下ユニット１５´との連結は、前者の枠体１３−２の縦板１３−２ｄと後者の枠体１５´−２の縦板１５´−２ａとを、両者を貫通するボルト及びナットによって固定する（図８参照）。これらボルト及びナットが、本実施形態における腰下連結構造１７を構成する。標準腰下ユニット１３は、ユニット１を設置しようとする遊技場において使用可能な最大数を設置するとよい。すなわち、標準腰下ユニット１３は、他のユニットに比べて最も造り置きに馴染む最も標準化した構造に構成してある。このため、このように標準化したものを可能な限り多数使用することによって造り置きをしておく利点を活用することができる。
【００２７】
（調整腰下ユニットの構造）
図１乃至８を参照する。第１調整腰下ユニット１５は、ユニット１の長さ方向に沿って正面視長方形の基板１５−１と、床面上に起立させた基板１５−１の上に固定した枠体１５−２と、から構成してある。枠体１５−２は、図８に示すように、縦板１５−２ａ，１５−２ａと横板１５−２ｂ，１５−２ｂの４枚からなる正面視長方形に形成してある。符号１５−５は、枠体１５−２の上に固定した膳板を示している。符号１５−６は、膳板１５−５の上にその長さ方向（すなわち、ユニット１の長さ方向）に沿って載置固定した細長のガイド板を示し、符号１５−７は細長突条を示している。さらに、符号１５−８は、ガイド板１５−６の端面に沿って膳板１５−５に形成した幅狭のガイド溝（案内路）を示している。他方、第２調整腰下ユニット１５´は、第１調整腰下ユニット１５とほぼ同一の構造に構成してあり、両者の違いは前者の方が後者よりも長く設定してある点と、長く設定した前者には後者にはない縦板を設けてある点である。すなわち、第２調整腰下ユニと１５´は、床面上に起立させた基板１５´−１と、基板１５´−１の上に固定した枠体１５´−２と、から構成してある枠体１５´−２は、図８に示すように、縦板１５´−２ａ、１５´−２ｂ及び１５´−２ｃの３枚と、これらを上下から挟むように固定した横板１５´−２ｅ，１５´−２ｆと（図２参照）、から構成してある。符号１５´−５は枠体１５´−２の上に固定した膳板を、符号１５´−６は膳板１５´−５の上に載置固定したガイド板を、符号１５´−７は細長突条を、それぞれ示している。膳板１５´−５は膳板１５−５と、ガイド板１５´−６はガイド板１５−６と、ガイド溝１５´−８はガイド溝１５−８と、それぞれ連続させてある。
【００２８】
第１調整腰下ユニット１５の長さ寸法は第２調整腰下ユニット１５´の長さ寸法よりも短く、第２調整腰下ユニット１５´の長さ寸法は標準腰下ユニット１３の長さよりも短く設定してある。これは、第１調整用腰下ユニット１５及び第２調整用腰下ユニット１５´が、ユニット１の長さ方向に並べて連結してきた研磨機側腰下ユニット１１，１１´、プールタンク用腰下ユニット１２，１２´、標準腰下ユニット１３，１３の最後に連結する長さ調整用ユニットとしての機能を有しているからである。すなわち、標準腰下ユニット１３を連結したところで残ったスペースには、このスペースに見合った長さの第１調整腰下ユニット１５を製造し設置することもできるが、それよりも標準腰下ユニット１３を用いてそのスペースを出きる限り小さくすることが望ましい。造り置きしてある標準腰下ユニット１３を有効活用できるからである。このようにして、最大数の標準腰下ユニット１３を連結した後に、余ったスペース（標準腰下ユニット１３よりも短い）に見合った島端側腰下ユニット１５を製造し設置する。したがって、島端側腰下ユニット１５の長さは必然的に標準腰下ユニット１３の長さよりも短くなる。島端側腰下ユニット１５が標準腰下ユニット１３よりも長いのであれば、標準腰下ユニット１３をもう１台余分に接続し、足りない分を島端側腰下ユニット１５によって補うようにする。ただ、最大数の標準腰下ユニット１３を用いた場合に残った必要長さ寸法が、たとえば、数ｃｍのように第１調整ユニット１５では調整不可能、すなわち、そのような構成部材に寸法より短い長さの第１調整ユニット１５を製造し設置することは不可能であるから、標準腰下ユニット１３の設置数を最大設置可能数から１引いた数に設定し、残余の分を、第１調整腰下ユニット１５を使用することより、さらに、必要に応じて第２調整腰下ユニット１５´を併せて使用することにより賄うようにするとよい。第１調整腰下ユニット１５及び第２調整腰下ユニット１５´を標準腰下ユニット１３に連結することによってユニット１が完成し、これによって、ガイド溝１１ａ−８，１１ｂ−８，１１´−８，１２´−１１，１３−８，１５´−８，１５−８が直列に連結される。この連結された一連のガイド溝を、本明細書では、ガイド溝４１と総称することにする。これと同様に、連結された一連のガイド板１１ａ−６，１１ｂ−６，１１´−６，１２−６，１２´−１０，１３−６，１５´−６，１５−６を、本明細書では、ガイド板４３と総称することにする。さらに、連結された一連の膳板１１ａ−５，１１ｂ−５，１１´−５，１２−４，１２´−８，１３−５，１５´−５，１５−５を、本明細書では、膳板３９と総称することにする。連結された一連の細長突条１１ａ−９，１１ｂ−９，１１´−９，１２−５，１２´−９，１３−４，１５´−７，１５−７を、同じく細長突条４０と総称することにする。
【００２９】
図６乃至８を参照しながら、腰下ユニット群３の起立補助を行うための固定ベースについて説明する。固定ベース４９は、鉄板を平面視コの字状に屈曲形成して形成したものであって、コの字の開口側上端に突起４９ａ，４９ａを形成してある。固定ベース４９は、固定した固定ベース４９の上に枠体１５−２を載置可能に構成してあり、かつ、その高さを基板１５−１の高さと略同じに設定してある。固定ベースに枠体１５−２を載置した状態でユニット１の幅方向中に向けて押しこむと、枠体１５−２の背面が突起４９ａ，４９ａに当接して位置決めがなされるようになっている。固定ベース４９は、腰下ユニット群３の全長に渡って所定間隔で配してあり、配した位置に対応する枠体を上述した要領で載置する。突起４９ａ，４９ａを設ける代わりに、腰下ユニット群３の基板１１−１，１１´−１，１２−１，１２´−１，１３−１，１５´−１，１５−１の固定ベース４９と当接可能な部位に突起（図示を省略）や凹み（図示を省略）等の位置決め機能を有する構造を採用してもよい。また、突起を省略して固定ベース自体の上端は平坦に形成し、上記突起に代わる位置決め構造を基板やユニット側に持たせることもできる。
【００３０】
図４を参照しながら、腰下支持台１９の構造について説明する。腰下支持台１９は、主として膳板１１ａ−５，１１ｂ−５，１１´−５，１２−４，１２´−８を下方から支持するための部材であるが、研磨機側腰下ユニット１１，１１´を補強する役目を担っている。すなわち、研磨機１０１には遊技媒体を貯留するタンクや補給樋（何れも図示を省略）等が併設されそれらの荷重が研磨機１０１に隣接する島柱ユニット３１，３１，・・を介して特に研磨機側腰下ユニット１１，１１´に付加されるので、これを、安定して支える機能を腰下支持台１９は有している。また、プールタンク用腰下ユニット１２´に使用する腰下支持台１９は、点検ドア１２´−５を設けてある等の理由から十分な強度を得づらいので、それを補強するために設けてある。腰下支持台１９は、全体が金属性であって、床面上に設置するための矩形のベース板１９ａと、ベース板１９ａの四隅から起立する４本の支持柱１９ｂ，・・と、支持柱１９ｂ，・・によって下方から支持された４本の縦柱を主部材とする檻状の支持枠１９ｃと支持枠１９ｃの上に形成した載置部１９ｄと、から概略構成してある。
【００３１】
（島柱ユニットの構造）
図４、５、７及び８を参照しながら、島柱ユニット３１について説明する。島柱ユニット３１は、平行起立する２本の支柱３１ａ，３１ａと、支柱３１ａ，３１ａを連結するための連結アーム３１ｂ，・・によって梯子状に形成してある。支柱３１ａ，３１ａ及び連結アーム３１ｂ，・・は、何れも断面矩形の中空金属性パイプによって構成してあり、接合は溶接等により適宜行う。支柱３１ａ，３１ａの下端には、ユニット１の長さ方向に長い板を断面Ｌ字状に屈曲させて形成したガイド片３１ｃ，３１ｃを固定してある。具体的なガイド片３１ｃ，３１ｃは、支柱３１ａ，３１ａに固定する固定板部３１ｄ，３１ｄと、固定板部３１ｄ，３１ｄに対して下方に屈曲する被ガイド片３１ｅ，３１ｅによって構成してある。固定板部３１ｄ，３１ｄは膳板３９の細長突条４０の上に載置可能に、かつ、載置したときに被ガイド片（被案内部材）３１ｅ，３１ｅがガイド溝（案内路）４１に差込可能に、構成してある（図６参照）。このように構成したのは、被ガイド片３１ｅ，３１ｅをガイド溝４１に差し込むことによって、島柱ユニット３１をユニット１の幅方向に対する位置決めを可能にするためと、島柱ユニット３１をユニット１の長さ方向にガイド溝４１に沿って移動可能にするためである。島柱ユニット３１をユニット１の長さ方向に移動可能としたのは、ユニット１に遊技機を設置する際に幅方向の調整を可能とすることと、ユニット１を組み立てて遊技機を設置した後に島柱ユニット３１，３１間の間隔を変更する必要が生じたときにこれに対応可能とするためである。間隔変更が必要な場合とは、たとえば、遊技機を交換しようとするときに新旧遊技機の幅寸法が異なっている場合、遊技機間にそれまで存在しなかった遊技媒体（たとえば、パチンコ玉）を貸し出すための装置を挿入しようとする場合、遊技機であるパチンコ機からスロットマシンへ変更しようとする場合がある。固定板部３１ｄ，３１ｄには、ネジ３１ｓ，・・を貫通可能とするネジ孔（図示省略）を設けてあり、このネジ３１ｓ，・・によって固定板部３１ｄ，３１ｄを膳板３９に使用に耐える十分な強度を持たせつつ仮固定可能に構成してある。島柱ユニット３１を移動させるときは、これらのネジ３１ｓ，・・を外し、必要な位置に移動させてから再び仮固定することによって行う。ガイド片３１ｃ，３１ｃ、ネジ孔、ネジ３１ｓ，・・及びガイド溝４１は、固定構造３３を構成する。
【００３２】
島柱ユニット３１の上部には、ユニット１の幅方向に突出する支持片３１ｆ，３１ｆ（図５、８参照）を固定してある。支持片３１ｆ，３１ｆは、逆さＬ字形状を有しており、後述する上部ユニット各々をユニット１の長さ方向にスライド可能に下方支持する役割を担っている。支持片３１ｆ，３１ｆには、逆さＬ字の横部にネジ孔（図示を省略）を貫通形成してあり、ネジ孔に挿入したネジによって下から支持した上部ユニットを島柱ユニット３１に固定可能に構成してある。上部ユニットをスライドさせるときは、上記ネジを弛め上部ユニットを必要量だけ移動させてから再度ネジ締めすることによって固定する。支持片３１ｆ，３１ｆ、ネジ孔及びネジは、上部支持構造３７を構成する。
【００３３】
（上部ユニット群の構造）
図１乃至４を参照しながら、上部ユニット群７について説明する。研磨機側上部ユニット２１，２１´は、研磨機１０１に隣接して設置するためのユニットである。研磨機側上部ユニット２１は、研磨機１０１を挟むようにしてユニット１の長さ方向に対向配置可能な一方の研磨機側上部半ユニット２１ａと他方の研磨機側上部半ユニット２１ｂとから構成してあり、両者は両者間中央に降ろした中心線に対して線対称の関係にある。すなわち、研磨機側上部半ユニット２１ａ，２１ｂは、正面視長方形の枠体２１ａ−１，２１ｂ−１と、枠体２１ａ−１，２１ｂ−１の正面に取り付けた板部２１ａ−２，２１ｂ−２とから構成してある。研磨機側上部ユニット２１´は、上述した研磨機側上部ユニット２１とユニット１の幅方向に対向配置してある。研磨機側上部ユニット２１´は、ユニット１の長さ方向に沿って正面視長方形の枠体２１´−１と、枠体２１´−１の正面に取り付けた板部２１´−２と、から構成してある（図３参照）。なお、研磨機側上部ユニット２１´は、次に述べる標準上部ユニット２３と同じ構造に構成してあり、標準上部ユニット２３と互換可能としてある。
【００３４】
図１乃至５及び８を参照する。標準上部ユニット２３は、正面視長方形の枠体２３−１と、枠体２３−１の正面に取り付けた板部２３−２を、から構成してある。また、第１調整上部ユニット２５は、枠体２５−１と、枠体２５−１の正面に取り付けた板部２５−２とから構成してある。さらに、第２調整上部ユニット２５´は、枠体２５´−１と、枠体２５´−１の正面に取り付けた板部２５´−２とから構成してある。研磨機側上部ユニット２１，２１´と標準上部ユニット２３との連結、標準上部ユニット２３，２３同士の連結、さらに、標準上部ユニット２３と第２調整上部ユニット２５´との連結、さらに、第２調整上部ユニット２５´と第１調整上部ユニット２５との連結は、各枠体の縦板同士を貫通するボルトとナットからなる上部連結構造２７によって連結可能に構成してある。また、研磨機側上部ユニット２１，２１´は、標準上部ユニット２３，・・、第１調整上部ユニット２５及び第２調整上部ユニット２５´とともに上部支持構造３７を介して各島柱ユニット３１に支持させてある。
【００３５】
図４及び９に示すように、研磨機側腰下ユニット１１の枠体１１ａ−２と枠体１１ｂ−２との間には、下部点検口枠９７を設けてある。下部点検口枠９７は、枠体１１ａ−２及び枠体１１ｂ−２のそれぞれにボルト又はビス（図示省略）固定することによって対向配置した枠板９７ａ及び枠板９７ｂと、枠板９７ａ及び枠板９７ｂに対して正面視手前に片開き可能な下部点検ドア９７ｄと、から構成してあり、枠体９７ａと枠体９７ｂと下部点検ドア９７ｄの三者は、図９（ａ）に示すように、正面視背面方向に開口する平面視略コの字状に配してある。また、研磨機側上部ユニット２１の枠体２１ａ−１と枠体２１ｂ−１との間には、中間点検口枠９８を設けてある。中間点検口枠９８は、膳板１１ａ−５，１１ｂ−５の上面から起立させ、枠体２１ａ−１及び枠体２１ｂ−１のそれぞれに高さ方向中間部ボルト固定することによって対向配置した枠板９８ａ及び枠板９８ｂと、枠板９８ａ及び枠板９８ｂに対して正面視手前に片開き可能な中間点検ドア９８ｄと、から構成してあり、枠板９８ａと枠板９８ｂと中間点検ドア９８ｄの三者は、図９（ａ）に示すように、正面視背面方向に開口する平面視略コの字状に配してある。枠板９８ａ及び枠板９８ｂは上部ユニット群７よりも上方に突き出させてあり（図９（ｂ）参照）、突き出させた部分（枠板９９ａ，枠板９９ｂ）には上部点検ドア９９ｄを正面視手前に片開き可能に取り付けてある。枠板９９ａ、枠板９９ｂ及び上部点検ドア９９ｄは、上部点検口枠９９を構成する。上部点検口枠９９も、上記三者によって正面視背面方向に開口する平面視略コの字状に形成してあり、その前面には、研磨機１０１の上部に位置する上部タンク（図示を省略）を隠すための化粧板１００を取り付けてある。下部点検口枠９７、中間点検口枠９８及び上部点検口枠９９の三者は、ユニット１の縦方向に連続した空間を共有しており、その空間内に研磨機１０１を収納してある。
【００３６】
（ユニットの設置手順）
図１乃至９を参照する。ユニット１は、次の手順で設置することができる。設置手順の概略は次の６工程からなる。その第１工程は、幅方向対向配置した一対の研磨機側腰下ユニット１１，１１´を、遊技場の床面上に設置した又は設置予定の研磨機１０１を挟むように遊技場床上に設置する工程であり、第２工程では研磨機側腰下ユニット１１，１１´各々に、プールタンク用腰下ユニット１２，１２´を介して所望数の標準腰下ユニット１３，・・を長さ方向に連結する。続く第３工程では、標準腰下ユニット１３，１３各々の最後列に第２調整腰下ユニット１５´，１５を連結する作業を行い、第４工程では、第２調整腰下ユニット１５´，１５´に第１調整腰下ユニット１５，１５を連結する。第５工程では、対向配置させた腰下ユニット群３上の長さ方向所定間隔毎に複数の島柱ユニット３１，・・を載置固定する。最後の第６工程では、島柱ユニット３１，・・各々との間に有する上部支持構造３７，・・によって、研磨機側上部ユニット２１，２１´、所望数の標準上部ユニット２３，・・、第２調整上部ユニット２５、及び第１調整上部ユニット２５を互いに連結してから、又は、連結しながら、島柱ユニット３１，・・各々の上部に支持させる。以上の６工程によってユニット１の設置が完了する。各工程の詳細は、項を改めて説明する。なお、上記６工程の各々における作業手順は、必ずしも以下の説明通りの順番である必要はない。可能であれば説明とは異なる順番で、又は、同時に複数の作業を行うこともできる。設置作業に関わる作業員の数や習熟度、作業現場において作業に使用可能なスペースの広狭等に合わせて作業手順を変更することは作業の効率化を図るためにむしろ好ましいからである。
【００３７】
（第１工程の詳細）
ユニット１の設置の中心となるのは、研磨機１０１であるから、まず、研磨機１０１を設置するか、その設置位置１０１ｐを決定する。本実施形態では、設置位置１０１ｐをまず決定し、ユニット１が完成してから研磨機１０１を設置する手順を採用した。設置位置１０１ｐが決定したら、その設置位置１０１ｐを挟むように研磨機側腰下ユニット１１，１１´を設置する。具体的には、まず、研磨機側腰下ユニット１１の基板１１ａ−１，１１ｂ−１を、設置位置１０１ｐとユニット１全体の相対位置を確認しながら床面に設置し、その上に枠体１１ａ−２，１１ｂ−２をネジ固定する。基板１１ａ−１，１１ｂ−１の設置は、図７及び８に示す固定ベース４９を用いて行う（以下に述べる基板も同じ）。さらに、基板１１ａ−１，１１ｂ−１の設置位置１０１ｐから見て遠い側に腰下支持台１９，１９を設置する。このとき、各腰下支持台１９のベース板１９ａ及び支持柱１９ｂ，・・が基板１１ａ−１，１１ｂ−１によって隠されるように配する（図４参照）。次に、枠体１１ａ−２，１１ｂ−２の設置位置１０１ｐ側に枠板９７ａ，９７ｂを縦にネジ固定する。このときの枠板９７ａ，９７ｂの上端は枠体１１ａ−２，１１ｂ−２の上端と略同一の高さとしておく（図９（ｂ）参照）。後述するように、膳板１１ａ−５，１１ｂ−５を載置固定する必要があるからである。枠板９７ａ，９７ｂの長さはその下端が床面Ｇに接触するように設定することもできるが、下端が床面Ｇから僅かに浮く程度の長さに設定してもよい。浮かせておけば、枠板９７ａ，９７ｂの長さ調整に気を遣う必要がなくなり作業を楽に進めることができるからである。他方、研磨機側腰下ユニット１１´の基板１１´−１を設置位置１０１ｐを挟んだ対向位置に基板１１ａ−１，１１ｂ−１を設置し、その上に枠体１１´−２をネジ固定する。このとき基板１１´−１の上記腰下支持台１９，１９に対する位置関係は、上記した基板１１ａ−１，１１ｂ−１の腰下支持台１９，１９に対する位置関係と同じに設定する。次に、膳板１１ａ−５，１１ｂ−５を、枠体１１ａ−２，１１ｂ−２と腰下支持台１９，１９との上に載置して下側からネジ固定する。これと同様に、膳板１１´−５を枠体１１´−２と腰下支持台１９，１９との上に載置して下側からネジ固定する。膳板１１ａ−５，１１ｂ−５（ガイド板１１ａ−６，１１ｂ−６）の設置位置１０１ｐ側の端部は、枠体１１ａ−２，１１ｂ−２から設置位置１０１ｐ方向に突き出させ、その突き出させたガイド板１１ａ−６，１１ｂ−６の上に枠板９８ａ，９８ｂの下端を載せた状態で固定する。枠板９８ａには、中間点検ドア９８ｄを片開き可能に取り付けておく。
【００３８】
（第２工程の詳細）
次に、研磨機側腰下ユニット１１，１１´各々に、プールタンク用腰下ユニット１２，１２´を連結する。具体的には、基板１２−１，１２−１を、それぞれ基板１１ａ−１，１１´−１に並べて設置するとともに、基板１２´−１，１２´−３を、それぞれ基板１１´−１，１１ｂ−１に並べて設置する。次いで、対向する基板１２−１，１２−１の上の設置位置１０１ｐから遠い側に枠体１２−２，１２−２及び下側の支持板１２−７，１２−７をネジ固定する。固定した枠体１２−２，１２−２と設置位置１０１ｐに隣接する腰下支持台１９の上に膳板１２−４，１２−４を架け渡してそれぞれネジ固定する。このネジ固定は、研磨機側腰下ユニット１１，１１´の膳板１１ａ−５，１１ｂ−５，１１´−５と、プールタンク用腰下ユニット１２，１２´の膳板１２−４，１２−４，１２´−８，１２´−８との間で連続形成される細長突条４０、ガイド溝４１及びガイド板４３が幅方向にズレを生じさせないように行う。下側の支持板１２−７，１２−７と対向する上側の支持板１２−７，１２−７は、膳板１２−４，１２−４の下面にネジ固定する。基板１２´−１の上に下側の支持板１２´−２をネジ固定する。下側の支持板１２´−２と対向する上側の支持板（図４に示す膳板１２´−８の裏に隠れて見えない）は、膳板１２´−８を設置した後にこの膳板１２´−８の下面にネジ固定する。次に基板１２´−３の上に下側の支持板１２´−６をネジ固定する。下側の支持板１２´−６と対向する上側の支持板１２´−６は、膳板１２´−８を設置した後にこの膳板１２´−８の下面にネジ固定する。基板１２´−３及び上下の支持板１２´−６，１２´−６の端面に一方の枠板１２´−４を縦にしてネジ固定し、枠板１２´−４に点検ドア１２´−５を片開き可能にネジ固定する。点検ドア１２´−５を挟んで反対側（図４の右側）の基板１２´−３及び上下の支持板１２´−６，１２´−６の端面に他方の枠板１２´−４を縦にしてネジ固定する。基板１２´−１，１２´−３の設置位置１０１ｐから遠い側に腰下支持台１９を設置し、この腰下支持台１９と設置位置１０１ｐに近い側の腰下支持台１９の上に膳板１２´−８，１２´−８を架け渡してネジ固定する。
【００３９】
次は、上記したプールタンク用腰下ユニット１２，１２´を介して所望数（本実施形態では２個×２列の４個）の標準腰下ユニット１３，・・を長さ方向に連結する。具体的には、図１に示す手前側の基板１３−１，１３−１を、それぞれプールタンク用腰下ユニット１２の基板１２ａ−１，１２ａ−１に並べて設置するとともに、同図に示す背面側の基板１３−１，１３−１を、プールタンク用腰下ユニット１２´の基板１２´−１，１２´−３に並べて設置する。次いで、基板１２−１，１２−１，・・各々の上に枠体１３−２，１３−２，・・をネジ固定する。固定した枠体１３−２，１３−２，・・の上に膳板１３−５，１３−５，・・を載置してそれぞれネジ固定する。このネジ固定は、プールタンク用腰下ユニット１２，１２´の膳板１２−４，１２−４，１２´−８，１２´−８と、標準腰下ユニット１３，・・の膳板１３−５，１３−５，・・との間で連続形成される細長突条４０、ガイド溝４１及びガイド板４３が幅方向にズレを生じさせないように行う。標準腰下ユニット１３，１３同士及び標準腰下ユニット１３と後述する島端側腰下ユニット１５との連結は、前者の枠体１３−２の縦板１３−２ａ（１３−２ｃ）と後者の枠体１３−２の縦板１３−２ａ（１３−２ｃ）とを、両者を貫通するボルト及びナット（腰下連結構造１７）によって固定する。
【００４０】
（第３工程の詳細）
第３工程では、標準腰下ユニット１３，１３，・・各々の最後列に第２調整腰下ユニット１５´，１５´を連結する。具体的には、基板１５´−１，１５´−１を、それぞれ基板１３´−１，１３´−１に並べて設置するとともに、基板１５´−１，１５´−１の上に枠体１５´−２，１５´−２，・・をネジ固定する。固定した枠体１５´−２，１５´−２，・・の上に膳板１５´−５，１５´−５を架け渡してそれぞれネジ固定する。このネジ固定は、標準腰下ユニット１３，１３，・・の膳板１３−５，１３−５，・・と、第２調整腰下ユニット１５´，１５´の膳板１５´−５，１５´−５の間で連続形成される細長突条４０、ガイド溝４１及びガイド板４３が幅方向にズレを生じさせないように行う。標準腰下ユニット１３，１３，・・と第１調整腰下ユニット１５´，１５´との連結は、上述したように腰下連結構造１７によって行う。
【００４１】
（第４工程の詳細）
第４工程では、第２調整腰下ユニット１５´，１５´、すなわち島端に、第１調整腰下ユニット１５，１５，・・を連結する。具体的には、基板１５−１，１５−１，・・を、それぞれ基板１３−１，１３−１，・・に並べて設置するとともに、基板１５−１，１５−１，・・の上に枠体１５−２，１５−２，・・をネジ固定する。固定した枠体１５−２，１５−２，・・の上に膳板１５−５，１５−５を架け渡してそれぞれネジ固定する。このネジ固定は、第２調整腰下ユニット１５´，１５´の膳板１３−５´，１３−５´と、第１調整腰下ユニット１５，１５の膳板１５−５，１５−５の間で連続形成される細長突条４０、ガイド溝４１及びガイド板４３が幅方向にズレを生じさせないように行う。第２調整腰下ユニット１５´，１５´と第１調整腰下ユニット１５，１５，・・との連結は、上述したように腰下連結構造１７によって行う。
【００４２】
（第５工程の詳細）
第５工程では、対向配置させた腰下ユニット群３上の長さ方向所定間隔毎に複数の島柱ユニット３１，・・を載置固定する。具体的には、図７に示すように、各島柱ユニット３１の固定板部３１ｄ，３１ｄを膳板３９の細長突条４０の上に載置し、かつ、載置したときに被ガイド片（被案内部材）３１ｅ，３１ｅをガイド溝（案内路）４１に差し込むことによって各島柱ユニット３１のユニット１の幅方向に対する位置決めを行う。他方、各島柱ユニット３１をユニット１の長さ方向にガイド溝４１に沿って移動させることによってユニット１の長さ方向に対する位置調整を行う。長さ方向に対する位置調整は、すなわち、ユニット１に遊技機を設置する際に遊技機の幅方向調整である。位置調整を終了したらネジ３１ｓ，・・を用いて固定板部３１ｄ，３１ｄを膳板３９に仮固定する。各島柱ユニット３１を再度移動させるときは、上記ネジ３１ｓ，・・を外し各島柱ユニット３１を移動したら再びネジ固定すればよい。
【００４３】
（第６工程の詳細）
図１乃至３及び図８を参照する。第６工程では上部ユニット群７の取り付けを行う。まず、研磨機側上部半ユニット２１ａ，２１ｂの取り付けを行う。具体的には、設置位置１０１ｐに最も近い島柱ユニット３１，３１の一方（図１に示すユニットの手前側）の支持片３１ｆ，３１ｆ，・・のユニット１長さ方向半分（残りの半分は隣接する標準上部ユニット１２の枠体２３−１を載せる）の上に枠体２１ａ−１，２１ｂ−１を載せ、載せた枠体２１ａ−１，２１ｂ−１の上下を島柱ユニット３１，３１にネジ固定するとともに、上記枠体２１ａ−１，２１ｂ−１の長さ方向一端側を枠板９９ａ，９９ｂにネジ固定する。次に、上記した設置位置１０１ｐに最も近い島柱ユニット３１，３１の他方（図１に示すユニットの後側）の支持片３１ｆ，３１ｆのユニット１長さ方向半分の上に枠体２１´−１を載せ、上記枠体２１´−１の上下を島柱３１，３１にネジ固定する。
【００４４】
次は、標準上部ユニット（枠体２３−１）の固定である。上記同様の要領で枠体２３−１，２３−１を、島柱ユニット３１，３１，・・の一方及び他方の支持片３１ｆ，３１ｆ，・・のユニット１長さ方向残り半分の上に載せ、載せた枠体２３−１，２３−１，・・の上下を島柱ユニット３１，３１，・・にネジ固定する。研磨機側上部ユニット２１，２１´、所望数の標準上部ユニット２３，・・及び第２調整上部ユニット２５´（第１調整上部ユニット２５）をボルトとナット（上部連結構造２７）によって互いに連結してから、又は、連結しながら、当該島柱ユニット３１，・・各々の上部に支持させる。以上により、ユニット１の設置を完了する。ユニット１の設置を完了したら、図外のパチンコ遊技機をユニット１に設置すれば、遊技機島が完成する。
【００４５】
（本実施形態の第１変形例）
図１０に基づいて説明する。第１変形例に係るユニット１が前述した本実施形態に係るユニット１と異なるのは、第１調整腰下ユニット１５及び第２腰下調整ユニット１５´の設置位置だけであって、各部材の構成に異なる点はない。各ユニットの接合方法等も共通である。すなわち、第１変形例に係るユニット１は、その腰下ユニットに着目すると、研磨機側腰下ユニット１１にプールタンク用腰下ユニット１２を介して第１調整ユニット１５を、この第１調整ユニット１５に第２調整ユニット１５´を介して所望数（図１０においては１個）の標準腰下ユニット１３を接続してある。第１調整腰下ユニット１５（第２調整腰下ユニット１５´）は、これら調整ユニットが現場の状況に合わせて製造するものであるため、その設置場所も状況に合わせて適宜選択可能にしてある。非標準化の利点を生かして柔軟性あるユニット設置を実現するためである。なお、第１変形例に係る上部ユニット群７は、本実施形態に係る上部ユニット群７と同じ順番で各ユニットを連結してある。
【００４６】
（本実施形態の第２変形例）
図１１に基づいて説明する。第２変形例に係るユニット１が前述した本実施形態に係るユニット１と異なるのは、後者で有していた第２調整腰下ユニット１５´を前者が有していない点である。すなわち、第２変形例では、第１調整腰下ユニット１５だけでユニット１の長さ方向の寸法調整ができる場合を想定しており、そのような場合は第２調整腰下ユニット１５´省略することができる。具体的には、標準腰下ユニット１３を設置したときに残余の長さが、たとえば、他の標準腰下ユニット１台分に匹敵する長さに数ｃｍの長さを加えた長さと等しい場合は、本実施形態及び第１変形例に係るユニット１のように第１調整腰下ユニット１５及び第２調整腰下ユニット１５´によって長さ調整を図るが、上記数ｃｍの残余長さが生じない場合や残余長さが標準腰下ユニット１台分に満たない場合は、１台の調整腰下ユニットだけで長さ調整を図ることができる。上部ユニットについても、上記腰下ユニットと同様に構成することができる。
【図面の簡単な説明】
【００４７】
【図１】遊技機島ユニットの斜視図である。
【図２】遊技機島ユニットの概略構造を示す正面図である。
【図３】島ユニットを正面斜め上からみた分解図である。
【図４】研磨機を中心とした島ユニットの斜視図である。
【図５】遊技機島ユニットの右側面図である。
【図６】腰下ユニットの斜視図である。
【図７】腰下ユニットの上に載置した島柱ユニットの斜め上から見た斜視図である。
【図８】遊技機島ユニットの部分斜視図である。
【図９】研磨機回りを示すための遊技機島ユニットの（ａ）平面図、（ｂ）正面図である。
【図１０】島ユニットの第１変形例を示す正面図である。
【図１１】島ユニットの第２変形例を示す正面図である。
【符号の説明】
【００４８】
１                      遊技機島ユニット
３                      腰下ユニット群
５                      島柱ユニット群
７                      上部ユニット群
１１，１１´              研磨機側腰下ユニット
１１´−１                基板
１１´−２                枠体
１１´−５                膳板
１１´−６                ガイド板
１１´−８                ガイド溝
１１ａ，１１ｂ            研磨機側腰下半ユニット
１１ａ−１，１１ｂ−１    基板
１１ａ−２，１１ｂ−２    枠体
１１ａ−５，１１ｂ−５    膳板
１１ａ−６，１１ｂ−６    ガイド板
１１ａ−８，１１ｂ−８    ガイド溝
１１ａ−９，１１ｂ−９    細長突条
１２，１２´              プールタンク用腰下ユニット
１２−１，１２´−１，    基板
１２´−２                支持板
１２´−３                基板
１２−２                  枠体
１２´−４                枠板
１２−４                  膳板
１２−５                  細長突条
１２´−５                点検ドア
１２−６                  ガイド板
１２´−６，１２´−７    支持板
１２−７                  支持板
１２´−８                膳板
１２´−９                細長突条
１２´−１０              ガイド板
１２´−１１              ガイド溝
１３                      標準腰下ユニット
１３−１                  基板
１３−２                  枠体
１３−２ａ，１３−２ｂ，１３−２ｃ，１３−２ｄ    縦板
１３−２ｇ，１３−２ｈ    横板
１３−４                  細長突条
１３−５                  膳板
１３−６                  ガイド板
１３−８                  ガイド溝
１５                      第１調整腰下ユニット
１５´                    第２調整腰下ユニット
１５−１，１５´−１      基板
１５−２，１５´−２      枠体
１５−２ａ                縦板
１５−２ｂ                横板
１５´−２ａ，１５´−２ｂ，１５´−２ｃ      縦板
１５´−２ｅ，１５´−２ｂ                    横板
１５−５，１５´−５      膳板
１５−６，１５´−６      ガイド板
１５−７，１５´−７      細長突条
１５−８，１５´−８      ガイド溝
１７                      腰下連結構造
１９                      腰下支持台（連結構造）
１９ａ                    ベース板
１９ｂ                    支持柱
１９ｃ                    支持枠
１９ｄ                    載置部
２１，２１´              研磨機側上部ユニット
２１ａ，２１ｂ            研磨機側上部半ユニット
２１ａ−１，２１ｂ−１    枠体
２１ａ−２，２１ｂ−２    板部
２１´−１                枠体
２１´−２                板部
２３                      標準上部ユニット
２３−１                  枠体
２３−２                  板部
２５                      第１調整上部ユニット
２５´                    第２調整上部ユニット
２５−１，２５´−１      枠体
２５−２，２５´−２      板部
２７                      上部連結構造
３１                      島柱ユニット
３１ａ                    支柱
３１ｂ                    連結アーム
３１ｃ                    ガイド片
３１ｄ                    固定板部
３１ｅ                    被ガイド片
３１ｆ                    支持片
３１ｓ                    ネジ
３３                      固定構造
３７                      上部支持構造
３９                      膳板
４０                      細長突条
４１                      ガイド溝
４３                      ガイド板
４９                      固定ベース
４９ａ，４９ｂ            突起
９７                      下部点検口枠
９７ａ，９７ｂ            枠板
９７ｄ                    点検ドア
９８                      中間点検口枠
９８ａ，９８ｂ            枠板
９８ｄ                    中間点検ドア
９９                      上部点検口枠
９９ａ，９９ｂ            枠板
９９ｄ                    上部点検ドア
１００                      化粧板
１０１                      研磨機
１０１ｐ                    設置位置
【図１】
2006204878.tif 000003
【図２】
2006204878.tif 000004
【図３】
2006204878.tif 000005
【図４】
2006204878.tif 000006
【図５】
2006204878.tif 000007
【図６】
2006204878.tif 000008
【図７】
2006204878.tif 000009
【図８】
2006204878.tif 000010
【図９】
2006204878.tif 000011
【図１０】
2006204878.tif 000012
【図１１】
2006204878.tif 000013